(57)【特許請求の範囲】
【請求項１】
第一の同期信号とデータから構成される第一のフレームを複数個記録した第一フォーマットのディスクと、前記第一の同期信号とは異なる第二の同期信号とデータから構成され、かつ、前記第一のフレームとは異なる長さの第二のフレームを複数個記録した第二フォーマットのディスクと、を線速度一定で再生するディスク再生装置であって、
前記第一フォーマットのディスクの再生信号のパルス幅を測定する第一のパルス幅測定手段と、
前記第二フォーマットのディスクの再生信号のパルス幅を測定する第二のパルス幅測定手段と、
前記第一のパルス幅測定手段または前記第二のパルス幅測定手段から出力される測定結果に基づいて、第一の同期信号または第二の同期信号に相当するパルス幅との誤差量に応じて増減するデコード値を出力するデコード手段と、
該デコード値から第一の速度信号を検出する第一の速度検出手段と、
該第一の速度情報に基づいてディスクの回転制御を行なう回転制御手段と、
を具備することを特徴とするディスク再生装置。
【請求項２】
請求項１に記載のディスク再生装置において、
前記デコード手段の出力であるデコード値から第一の同期信号または第二の同期信号に相当するデコード値を識別する同期信号検出手段と、
該同期信号検出手段での同期信号の検出周期から第二の速度情報を検出する第二の速度検出手段と、
前記同期信号検出手段での同期信号の検出状態に従い前記第一の速度情報または第二の速度情報を選択出力する第一の選択手段と、を更に具備し、
前記回転制御手段は、第一の選択手段から出力される何れかの速度情報に基づいてディスクの回転制御を行なうことを特徴とするディスク再生装置。
【請求項３】
請求項２に記載のディスク再生装置において、
前記第二の速度検出手段は、
前記同期信号検出手段より得られる同期信号の出現周期から第一フォーマットディスクに対応した第三の速度情報を検出する第三の速度検出手段と、
前記同期信号検出手段より得られる同期信号の出現周期から第二フォーマットディスクに対応した第四の速度情報を検出する第四の速度検出手段と、
該第三の速度検出手段または第四の速度検出手段の出力信号を切り替えて出力する第二の選択手段と、
で構成されることを特徴とするディスク再生装置。
【発明の詳細な説明】
【０００１】
【発明の属する技術分野】
本発明はディスク再生装置に関する。
【０００２】
【従来の技術】
従来、この種の線速度一定で再生を行うディスクとしてコンパクトディスクが挙げられる。このコンパクトディスクは、「ＣＤ−オーディオからパソコンへ」真利 藤雄 監修、林 謙二 編著ｐ１２〜ｐ１５に記載の技術のように、フレーム同士の境界を示す同期信号と、データで１フレームを構成し、線速度一定となるようにディスクに記録される。またｐ５４〜ｐ５６に記載の技術のように、ＣＬＶ再生を行うには、ディスク中の速度情報の検出が必要であり、フレーム内に記録される同期信号の検出、出現周期の測定から速度情報の検出を行っている。
【０００３】
【発明が解決しようとする課題】
近年、コンパクトディスクの数倍の記憶容量を持つ高密度ディスクが開発されつつある。
【０００４】
コンパクトディスクと高密度ディスクはＣＬＶ再生を行うが、互いに同期信号のパターンや、１フレーム長つまり同期信号の出現周期も異なり、これら互いにフォーマットの異なるディスクを同一の再生装置でＣＬＶ再生を行うには、ディスク再生の速度情報の検出回路がそれぞれのディスクのフォーマットに応じて別々に設けなければならない。
【０００５】
本発明は従って、異なるフォーマットで記録されたそれぞれのディスクに対して、速度情報の検出回路に共通性を持たせ、ディスクの記録フォーマットの識別情報に従い速度検出を選択出力し、ディスクのＣＬＶ再生を行うディスク再生装置を提供する。
【０００６】
【課題を解決するための手段】
この問題を解決するための本発明のディスク再生装置は、第一の同期信号とデータから構成される第一のフレームを複数個記録した第一フォーマットのディスクと、前記第一の同期信号とは異なる第二の同期信号とデータから構成され、かつ、前記第一のフレームとは異なる長さの第二のフレームを複数個記録した第二フォーマットのディスクと、を線速度一定で再生するディスク再生装置であって、前記第一フォーマットのディスクの再生信号のパルス幅を測定する第一のパルス幅測定手段と、前記第二フォーマットのディスクの再生信号のパルス幅を測定する第二のパルス幅測定手段と、前記第一のパルス幅測定手段または前記第二のパルス幅測定手段から出力される測定結果に基づいて、第一の同期信号または第二の同期信号に相当するパルス幅との誤差量に応じて増減するデコード値を出力するデコード手段と、該デコード値から第一の速度信号を検出する第一の速度検出手段と、該第一の速度情報に基づいてディスクの回転制御を行なう回転制御手段と、を具備する構成とする。
【０００８】
【発明の実施の形態】
以下、本発明の実施例を図面を用いて説明する。
【０００９】
図１に本発明ディスク再生装置の一実施例をブロック図により示す。参照数字１は線速度一定で特定のフォーマットに従ってデータが記録されている光ディスク、２はディスクからのデータの読取りを行うピックアップ、３はプリアンプ、４は光ディスク１に記録されている所定のフォーマットに従った信号処理を行うディジタル信号処理回路、５はディスク挿入後のリードイン領域の再生より得られる光ディスク１の記録フォーマット識別情報（フォーマット１またはフォーマット２）を検出するリードイン情報検出回路、６はディスクモータ、７はピックアップ制御回路、８はマスタクロック生成回路、９はピックアップ２から読み出されたフォーマット１に対する再生信号のパルス幅を測定するフォーマット１パルス幅測定回路、２２はピックアップ２から読み出されたフォーマット２に対する再生信号のパルス幅を測定するフォーマット２パルス幅測定回路、１０は９、２２の回路からのパルス幅の測定結果から数値コードにデコードするデコード回路、１１は出力されるデコード値中で最大値を検出する最大値検出回路、１２は同期信号再生可能なディスク回転速度に向かってディスクモータの回転を制御するため、検出されたデコード値の最大値から速度を検出する起動速度検出回路、１４はデコード値から同期パターンの検出、同期パターンの出現周期測定により同期信号の検出、保護を行う同期検出保護回路、１５はフォーマット１で記録されているディスクに対して同期信号再生可能な範囲内での速度検出を行うフォーマット１定常速度検出回路、１６はフォーマット２で記録されているディスクに対して同期信号再生可能な範囲内での速度検出を行うフォーマット２定常速度検出回路、１７はフォーマット識別情報に従い定常速度検出結果の選択を行う第一の選択回路、１８は同期信号の検出状態から起動速度検出と定常速度検出の切換命令を生成する切換命令生成回路、１９は生成された切換命令に従い出力の選択を行う第二の選択回路、２０は選択された速度検出結果に従いディスクモータ６の回転数を制御するディスクモータ制御回路、２１は再生装置全体の制御を行うシステムコントローラ、２３は９から１９、２２まで回路を含む速度検出手段である。
【００１０】
図１でディスクの挿入検出に応答して、システムコントローラ２１はディスクモータ制御回路２０へ強制回転命令を送り、ディスクモータ６を強制回転させ、ピックアップ制御回路７はピックアップ２をディスク１のリードイン領域に移動し、アクセス再生を行う。そしてディジタル信号処理回路４で所定の信号処理を行った後、リードイン情報検出回路５で現在挿入されたディスク１の記録フォーマットの識別を行い、その識別結果（フォーマット１あるいはフォーマット２で記録された光ディスクを検出）をシステムコントローラ２１へ送る。
【００１１】
速度検出手段２３に含まれる回路で行われる処理はディスクの回転状態により大きく二つに分けられ、光ディスク１の回転速度を同期信号の検出可能範囲に引き込むため、同期信号が検出できない状態においてディスクからの再生信号のパルス幅測定からディスク回転速度の検出を行う起動制御と、起動制御により同期信号の検出可能な範囲にディスク回転速度を調整した後、再生される同期信号の出現周期の測定により、出現周期の誤差を検出、ディスク回転速度の微妙な検出を行う定常制御に分けられ、起動制御による速度検出を行っている状態を起動状態、定常制御により速度検出を行っている状態を定常状態とする。
【００１２】
また図６により再生装置で再生を行う光ディスク１の記録フォーマットについて、図６示すように光ディスクに記録されている最小単位であるフレームの構造は、フォーマット１は、フレーム長が１チャネルビットＴ（Ｔは自然数）の５８８倍周期で、同期信号の同期パターンは１チャネルビットＴの１１倍周期のパルスが２回連続するパルスで１フレームを構成する。フォーマット２は、フレーム長が１チャネルビットＴ’（Ｔ’は自然数）の１４８８倍周期で、同期信号の同期パターンは１チャネルビットＴ’の１４倍周期の単一パルスで１フレームを構成する。ディスク再生装置にはこれらフォーマット１あるいはフォーマット２のフレーム構造を持つ光ディスクが挿入される。
【００１３】
システムコントローラ２１は、検出された記録フォーマット識別情報に従いモード切換命令を生成、また９から１９、２２までの回路を含む速度検出手段２３の動作に必要な、記録フォーマットのチャネルビットレートＴ又はＴ’に対応したマスタクロックをマスタクロック生成回路８で生成する様にマスタクロック切換命令を生成する。
【００１４】
ディスクが回転し始めると（つまりディスク回転が起動状態にある）、ピックアップ２からディスクに記録されたディジタル信号の再生が開始され、再生信号がフォーマット１パルス幅測定回路９とフォーマット２パルス幅測定回路２２にそれぞれ入力される。これら９と２２の回路ではフォーマット１、フォーマット２それぞれの対応したパルス幅検出が行われる。
【００１５】
ここで図２によりパルス幅測定の例として、フォーマット１の同期パターンに対するパルス幅の測定、図３によりフォーマット２の同期パターンに対するパルス幅の測定を説明する。
【００１６】
図２において測定法１ではパルスの立上りエッジ同士の間、立下りエッジ同士の間をそれぞれフォーマット１のチャネルビットの周期に対応したマスタクロック１で測定し、その測定結果を交互にパルス幅測定値として出力する。測定法２ではパルスの立上りと立下りのエッジ同士の間を測定法１の倍の周波数のマスタクロック２で測定しパルス幅測定値として出力する。フォーマット１の同期パターン測定において、測定法１のパルス幅測定結果１はマスタクロックが倍の周波数で測定した測定法２のパルス幅測定結果２と同じであることから、パルス幅測定の検出精度としては同一である。また、測定法１は測定法２に対して測定を行うマスタクロックの周波数が半分で済む。このためフォーマット１パルス幅測定回路９におけるパルス幅の測定は測定法１で行われる。
【００１７】
図３において、フォーマット２の同期パターンに対するパルス幅測定は、同期パターンが１４Ｔ’の単独のパルスであらわされる為、パルスの立ち上がり、立ち下がりのエッジ間をフォーマット２のチャネルビットの周期に対応したマスタークロックで測定される。
【００１８】
再生信号に対して、９と２１の回路でそれぞれ上述の方法でパルス幅測定を行った後、デコード回路１０はモード切替命令に従い、それぞれの測定結果から現在再生を行っているディスクの記録フォーマットに対応したパルス幅測定結果を選択し、デコード値に変換する。デコード値への変換として、図４にその一例を示す。図４のデコード値フォーマット１、フォーマット２の回転状態それぞれに対応するように共通の数値コードで割り当てられ、“１００”の検出が行われる状態に対して、“０００”に向かうにつれディスク回転は速い状態である事を示し、“１１１”に向かうにつれ遅い状態である事を示す。
【００１９】
デコード回路１０でパルス幅測定結果をデコード値に変換した後、ディスクの再生に伴い連続して得られるデコード値の中から最大値を最大値検出回路１１で検出し、検出した最大値に対するデコード値から起動速度検出回路１２において現在のディスク回転速度に対応した速度信号に変換、ディスクモータ制御回路２０へ速度信号を送る。ディスクモータ制御回路２０は、速度信号からディスクモータ６の回転制御を行う。以上の処理をくり返し行う事で、ディスクの回転速度は同期信号再生可能な範囲に向かって制御される。
【００２０】
上述した起動制御により、定常状態の範囲にディスクモータの回転速度が制御されると、同期信号検出、保護回路１４において、デコード回路１０から出力されるデコード値の中からフォーマット１或はフォーマット２の同期パターンに相当するデコード値（“１００”の数値コード）を検出した後、同期信号の検出、保護を行う。同期検出、保護の動作は図５において同期パターンに相当するデコード値“１００”を検出した後、同期パターンの誤検出を避けるために、検出パルス同士の周期を測定して同期検出を確保する。同期パターン出現周期はフォーマット１では１チャネルビット周期Ｔの５８８倍周期、フォーマット２では１チャネルビット周期Ｔ’の１４８８倍周期であり、同期検出・保護回路１４はモード切換命令により同期パターンの出現周期の測定を切り換えて行う。
【００２１】
同期検出の確定結果においては、同期パターン検出信号が欠落する場合もあり、このため同期信号の補充を行い、同期保護を行う。
【００２２】
同期検出、同期保護の検出結果はフォーマット１定常速度検出回路１５、フォーマット２定常速度検出回路１６に送られ、各々の回路で同期検出信号の出現周期から定常状態の速度検出を行う。その定常速度検出結果は第一の選択回路１７において、モード切換命令に従い選択、出力される。
【００２３】
また切替命令生成回路１８においては、現在のディスク回転状態が起動状態か定常状態かを判定するため、確定した同期信号の検出数と保護処理後の同期信号の数より同期信号の検出状態を判定し起動、定常の切換命令を生成、第二の選択回路１９において定常制御の速度信号が出力されるように選択を行う。ディスクモータ制御回路２０は、選択された速度信号からディスクモータ６の回転制御を行い、ディスクの回転速度はディスクからの再生信号が常に線速度に一定になるように制御される。
【００２４】
この実施例では、異なるフォーマットに対する同期信号パターンの検出で結果をフォーマット共通のコードに置き換えることにより、パルス幅検出による速度検出の回路を共通化できる。また異なるフォーマットに対する同期信号の出現周期の測定により速度検出を行う場合は、記録フォーマットの識別に従って、チャネルビットの周期に対応するマスタクロックを切替、速度検出を選択する事により、ディスクからの再生信号に応じた速度検出が実現でき、ディスクからの再生信号を線速度一定で読みだす事が出来る。
【００２５】
なお、実施例ではディスク挿入後に行うディスクの識別は、リードイン領域の再生後、リードイン情報検出回路５において、再生されたリードイン情報からディスクの記録フォーマットの識別を行っているが、ディスクの識別方法はこれに限定される物ではなく、ディスクからデータを再生後、同期検出、保護回路１４における同期信号の検出状態から判定したり、ディスク挿入後、ピックアップにおけるディスクからの反射率で決定するなど識別方法としては多数存在する。
【００２６】
【発明の効果】
本発明によると、異なるフォーマットに対する同期信号の出現周期の測定により速度検出を行う場合は、ディスクからの再生信号に応じた速度検出が実現でき、ディスクからの再生信号を線速度一定で読みだす事が出来る。
【図面の簡単な説明】
【図１】本発明によるディスク再生装置の一実施例を示すブロック図。
【図２】フォーマット１の同期パターンに対するパルス幅測定方法を示す説明図。
【図３】フォーマット２の同期パターンに対するパルス幅測定方法を示す説明図。
【図４】パルス幅検出結果に対するデコード値、ディスク回転速度の状態を示した説明図。
【図５】同期信号の検出、保護の方法を示す説明図。
【図６】ディスクに記録されるフォーマット１、フォーマット２に対するフレームの構成を示す説明図。
【図１】
0003692688.tif 000002
【図２】
0003692688.tif 000003
【図３】
0003692688.tif 000004
【図４】
0003692688.tif 000005
【図５】
0003692688.tif 000006
【図６】
0003692688.tif 000007